(57)【要約】【課題】データトラヒックと映像トラヒックを同時に運用するネットワークにおいて、帯域変動を呈するデータトラヒックが映像トラヒックに及ぼす影響をなくす。【解決手段】伝送路に情報を送信する前に、映像トラヒックかどうかの解析を行い、映像トラヒックを検知した時に、データトラヒックと映像トラヒックの送信する帯域量を制御して映像の品質を確保する。【選択図】図３
2005348284.tif 000002
【特許請求の範囲】
【請求項１】
ルータ等のネットワーク接続装置で接続されている光通信ネットワーク上で、或る一方のサイトと他方のサイトとの間で帯域変動を呈するデータトラヒックの伝送を行っている伝送路に、前記一方のサイトにおけるカメラ等による映像伝送装置からの映像トラヒックを重畳させて他方のサイトへ同時に伝送する際の映像品質を確保するための映像伝送優先制御システムであって、前記データトラヒックの帯域変動による映像トラヒックへの影響を回避し、映像品質を確保するための映像帯域優先制御装置を映像トラヒック送信側のネットワークに設けたことを特徴とする映像伝送優先制御システム。
【請求項２】
前記映像帯域優先制御装置を前記映像トラヒック送信側のサイトにおけるネットワーク接続装置と前記伝送路との間に設けたことを特徴とする請求項１に記載の映像伝送優先制御システム。
【請求項３】
前記映像帯域優先制御装置が、通常使用される映像信号のパケットヘッダのラベルから映像トラヒックの伝送を認識し、複数のトラヒックから映像信号を識別する機能と、同一伝送路内で映像トラヒックを識別した後、該映像トラヒックに必要となる帯域を優先的に確保するための帯域制御機能とを備えていることを特徴とする請求項１または２に記載の映像伝送優先制御システム。
【請求項４】
前記映像帯域優先制御装置が、映像帯域を優先的に確保するために、他のデータトラヒック等を圧縮してバッファリング伝送する機能も備えていることを特徴とする請求項１〜３の何れか一項に記載の映像伝送優先制御システム。
【請求項５】
ルータ等のネットワーク接続装置で接続されている光通信ネットワーク上で、或る一方のサイトと他方のサイトとの間で帯域変動を呈するデータトラヒックの伝送を行っている伝送路に、前記一方のサイトから映像トラヒックを重畳させて他方のサイトへ同時に伝送する際の映像品質を確保するための映像伝送優先制御システムに用いる映像帯域優先制御装置において、該映像帯域優先制御装置が映像トラヒック送信側のネットワークに設けられ、且つ前記映像帯域優先制御装置がデータトラヒック、映像トラヒック等の混在するトラヒックを受信してＯ/Ｅ変換する入力部と、映像トラヒックが流れたことを認識する映像帯域認識部と、データトラヒック及び映像トラヒックの送信する帯域量を制御し、映像配信に必要な帯域を制御して確保する帯域制御部と、該帯域制御部で制御した信号をＥ／Ｏ変換して出力する出力部とを備えていることを特徴とする映像帯域優先制御装置。
【請求項６】
前記映像帯域認識部が、通常使用される映像信号のパケットヘッダのラベルから映像伝送を認識し、複数のトラヒックから映像信号を識別する機能を備えていることを特徴とする請求項５に記載の映像帯域優先制御装置。
【請求項７】
前記映像帯域優先制御装置が、映像帯域を優先的に確保するために、他のデータトラヒック等を圧縮してバッファリング伝送する機能も備えていることを特徴とする請求項５または６に記載の映像帯域優先制御装置。
【発明の詳細な説明】
【技術分野】
【０００１】
本発明は、データトラヒックと映像トラヒックを同時に運用する光通信ネットワークにおける映像伝送優先制御システム及びそれに用いる装置に関するものである。
【背景技術】
【０００２】
従来、ネットワークに流れるデータパケットを識別して、アプリケーションごとに利用できる帯域を制御し、基幹系など重要な業務用の帯域を確保し、トラヒック量の多いアプリケーションが帯域を占有するのを防ぐ帯域管理装置は既知である（例えば、非特許文献１参照）。
【０００３】
しかし、近年のブロードバンドネットワークの普及に伴い、今後映像伝送が主流となる中、ルータ等のネットワーク接続装置を介して接続されている光通信ネットワークにおける伝送路において、データトラヒックと映像トラヒックを同時に運用する機会が急増するものと想定される。
【０００４】
例えば、図１に示すように、一方のサイトのＡビルと他方のサイトのＢビルとの間が光ファイバ等による伝送路１によってルータ等のネットワーク接続装置２及び３を介して接続されているネットワークにおいて、Ｂビルの多数の社員がＰＣ等のデータ制御端末４（一台のみ図示）を用いて基幹業務用のアプリケーションや電子メールのほか、Ａビルのデータサーバ５にアクセスして、データ制御端末４とサーバ５との間でデータをやり取りして基幹業務を行っている場合に、ＴＶ会議等のためにリアルタイムでＡビルにおけるカメラ６からの映像データをＢビルのモニタディスプレイ７で観る場合がる。このような場合に、カメラ６からの映像データは映像データ送信装置８及びネットワーク接続装置２を介して、前記データトラヒックに重畳されて同じ伝送路１を経由し、ネットワーク接続装置３及び映像データ受信装置９を介してモニタディスプレイ７に伝送される。この際、データ伝送のトラヒックは急増・急減し、例えば、図２に示すように、データトラヒックが１０時〜２０時の時間帯において急増するような場合には、データトラヒックが映像トラヒックを圧迫し、パケット欠落が生じて映像伝送トラヒックの伝送容量を確保できなくなり、画質の低下が発生する。
【０００５】
このように、ルータ等で構成される従来のネットワークにおいては、複数のトラヒックが混在する場合に、映像トラヒックを特定してトラヒックを制御する機能は無く、映像サービスとして帯域を確保するためには専用線として帯域を確保するしかなく、また、映像のリアルタイム伝送では、パケット欠落による品質の低下は対処できなく、品質を重視するのであれば専用線のように帯域を確保するか、ストリーミング再生のように映像伝送装置間においてバッファリングして対処するしかなかった。
【０００６】
映像帯域制御装置として、映像信号を表示装置に表示する際にＲＧＢ映像信号の映像帯域を制限することにより、ＲＧＢ映像信号のコントラストを改善し、映像単体の品質を制御する技術は既知である（例えば、特許文献１参照）。しかし、この技術はネットワーク上での複数のトラヒックの中から映像信号を選択し、その帯域を確保するものではない。
【０００７】
【非特許文献１】中木正司外、“通信ネットワーク早分かり講座”、日経ＢＰ出版センター発売、発行２００３年６月３０日、第１４６〜１４７ページ
【特許文献１】特開平８−２５１６１０号公報
【発明の開示】
【発明が解決しようとする課題】
【０００８】
そこで本発明は、上述したような点に鑑み、今後のブロードバンドネットワークの主流でもある映像伝送の品質を確保すると共に、さらには防災情報等の重要トラヒック配信に対しても既存のネットワークを変更することなく、帯域を制御して映像データを優先配信可能とする映像伝送優先制御システム及びそれに用いる映像帯域優先制御装置を提供することを目的とする。
【課題を解決するための手段】
【０００９】
上記目的を達成するため、請求項１に記載の発明は、ルータ等のネットワーク接続装置で接続されている光通信ネットワーク上で、或る一方のサイトと他方のサイトとの間で帯域変動を呈するデータトラヒックの伝送を行っている伝送路に、前記一方のサイトにおけるカメラ等による映像伝送装置からの映像トラヒックを重畳させて他方のサイトへ同時に伝送する際の映像品質を確保するための映像伝送優先制御システムであって、前記データトラヒックの帯域変動による映像トラヒックへの影響を回避し、映像品質を確保するための映像帯域優先制御装置を映像トラヒック送信側のネットワークに設けたことを特徴とする。
【００１０】
また、請求項２に記載の発明は、請求項１に記載の映像伝送優先制御システムにおいて、映像帯域優先制御装置を前記映像トラヒック送信側のサイトにおけるネットワーク接続装置と前記伝送路との間に設けたことを特徴とする。
【００１１】
また、請求項３に記載の発明は、請求項１または２に記載の映像伝送優先制御システムにおいて、映像帯域優先制御装置が、通常使用される映像信号のパケットヘッダのラベルから映像トラヒックの伝送を認識し、複数のトラヒックから映像信号を識別する機能と、同一伝送路内で映像トラヒックを識別した後、該映像トラヒックに必要となる帯域を優先的に確保するための帯域制御機能とを備えていることを特徴とする。
【００１２】
また、請求項４に記載の発明は、請求項１〜３の何れか一項に記載の映像伝送優先制御システムにおいて、映像帯域優先制御装置が、映像帯域を優先的に確保するために、他のデータトラヒック等を圧縮してバッファリング伝送する機能も備えていることを特徴とする。
【００１３】
また、請求項５に記載の発明は、ルータ等のネットワーク接続装置で接続されている光通信ネットワーク上で、或る一方のサイトと他方のサイトとの間で帯域変動を呈するデータトラヒックの伝送を行っている伝送路に、前記一方のサイトから映像トラヒックを重畳させて他方のサイトへ同時に伝送する際の映像品質を確保するための映像伝送優先制御システムに用いる映像帯域優先制御装置において、該映像帯域優先制御装置が映像トラヒック送信側のネットワークに設けられ、且つ前記映像帯域優先制御装置がデータトラヒック、映像トラヒック等の混在するトラヒックを受信してＯ/Ｅ変換する入力部と、映像トラヒックが流れたことを認識する映像帯域認識部と、データトラヒック及び映像トラヒックの送信する帯域量を制御し、映像配信に必要な帯域を制御して確保する帯域制御部と、該帯域制御部で制御した信号をＥ／Ｏ変換して出力する出力部とを備えていることを特徴とする映像帯域優先制御装置にある。
【００１４】
また、請求項６に記載の発明は、請求項５に記載の映像帯域優先制御装置において、映像帯域認識部が、通常使用される映像信号のパケットヘッダのラベルから映像伝送を認識し、複数のトラヒックから映像信号を識別する機能を備えていることを特徴とする。
【００１５】
また、請求項７に記載の発明は、請求項５または６に記載の映像帯域優先制御装置において、当該映像帯域優先制御装置が、映像帯域を優先的に確保するために、他のデータトラヒック等を圧縮してバッファリング伝送する機能も備えていることを特徴とする
【発明の効果】
【００１６】
以上説明したように、木発明によれば、映像トラヒックの帯域を常に確保するネットワークを構築する必要が無く、既存のネットワークへ映像帯域優先制御装置を挿入することで映像の品質を優先して確保することが可能となる。また、優先制御機能については、その他防災情報等の重要情報の配信制御への展開も可能である。
【発明を実施するための最良の形態】
【００１７】
以下、本発明を添付図面を参照して詳細に説明する。
【００１８】
図３は本発明に係る映像伝送優先制御システムの全体の構成の一実施形態を示す概念図である。
【００１９】
本例は、一方のサイトのＣビルと他方のサイトのＤビルとの間が光ファイバ等による伝送路１１によってルータ等のネットワーク接続装置１２及び１３を介して接続されているネットワークにおいて、Ｄビルの多数の社員がＰＣ等のデータ制御端末１４（一台のみ図示）を用いて基幹業務用のアプリケーションや電子メールのほか、Ｃビルのデータサーバ１５にアクセスして、データ制御端末１４とサーバ１５との間でデータをやり取りして基幹業務を行っている場合に、ＴＶ会議等のためにリアルタイムでＣビにおける映像伝送装置であるカメラ１６からの映像データを、映像データ送信装置１８及びネットワーク接続装置２０を介して、前記データトラヒックに重畳されて同じ伝送路１１を経由し、Ｄビルのネットワーク接続装置１３及び映像データ受信装置１９を介してモニタディスプレイ１７で観る場合の例を示している。
【００２０】
本発明によれば、データトラヒックと映像トラヒックを同時に運用する場合に、データトラヒックの帯域変動が映像伝送の品質に影響を与えないようにするために、一方のサイトのネットワーク上、例えばＣビルにおけるネットワーク接続装置１２と伝送路１３との間に映像帯域優先制御装置２０を挿入する。この映像帯域優先制御装置２０は、データトラヒックの帯域変動によるカメラ１６からの映像トラヒックへの影響を回避し、映像伝送帯域（映像品質）を確保すべく帯域優先制御するものである。このような映像帯域優先制御装置は、映像トラヒックを送信する側のサイトに設けるのであって、例えばＤビル側から映像データを送信する場合にはＤビル側のネットワーク上に設けるようにする。
【００２１】
映像帯域優先制御装置２０は、カメラ１６から映像データ送信装置１８を経て映像トラヒックが流れたことも認識し、かつデータトラヒックと映像トラヒックの送信する帯域量も制御して、映像配信に必要な帯域を確保して、映像トラヒックをデータトラヒックと同時に光ファイバの伝送路１１を経由してＤビル側へと伝送するようにして、データトラヒックの帯域変動による映像トラヒックへの影響を回避し、映像品質を確保する。
【００２２】
図４は図３の映像伝送優先制御システムに用いる本発明に係る映像帯域優先制御装置２０の具体的構成を示す概念図である。
【００２３】
映像帯域優先制御装置２０は、入力部２０１と、映像帯域認識部２０２と、帯域制御部２０３と、出力部２０４とで構成される。データトラヒックと映像トラヒックが混在するネットワークにおいて、情報は入力部２０１において受信され、Ｏ／Ｅ（光/電気）された後、映像帯域認識部２０２において映像伝送帯域（映像品質）を確保するために映像トラヒックが流れたことを認識し、次いで帯域制御部２０３にてデータトラヒックと映像トラヒックの送信する帯域量を制御して、映像配信に必要な帯域を確保してから、出力部２０４にてＥ／Ｏ変換してネットワーク側へと出力する。映像トラヒックの伝送はパケットヘッダのラベルから認識することができる。また映像帯域を優先的に確保するために、映像帯域優先制御装置２０に他のデータトラヒック等を圧縮してバッファリング伝送する機能を具備させるのが好適である。
【００２４】
帯域制御部２０３は、映像帯域の優先制御に止まらず、その他防災情報等の優先配信についても既存ネットワークへ映像帯域優先制御装置２００を追加することで十分に対応可能である。
【００２５】
ここで、本発明の特徴とするところは、図４に示すように、装置内に複数トラヒックの中から映像トラヒックを識別する映像帯域認識部と特定のトラヒックが他のトラヒックの使用帯域に影響を与えないための帯域制御機能部を持った構成となっていることである。なお、本帯域認識、制御機能については、防災情報配信等の重要情報は威信制御への応用も可能と考える。
【図面の簡単な説明】
【００２６】
【図１】従来のルーク等で接続される光通信ネットワークでのトラヒック運用状況を示す図である。
【図２】データトラヒックと映像トラヒックの混在が与える影響を示した図である。
【図３】本発明による映像伝送優先制御システムの一実施例の構成を示した概念図である。
【図４】本発明に係る映像伝送優先制御システムに用いる映像帯域優先制御装置の構成を示す概念図である。
【符号の説明】
【００２７】
１  伝送路（光ファイバ）
２，３  ネットワーク接続装置
４  ＰＣ等データ制御端末
５  データサーバ
６  映像伝送装置（カメラ）
７  モニタディスプレイ
８  映像データ送信装置
９  映像データ受信装置
１０  サーバ等
２，１１，１８  ＰＣ等制御端末
３，８，１５  映像配信（カメラ）
４，９，１６  映像配信（モニタ、ディスプレー）
５，６，１９，２０  ルータ等（伝送装置）
【図１】
2005348284.tif 000003
【図２】
2005348284.tif 000004
【図３】
2005348284.tif 000005
【図４】
2005348284.tif 000006